(57)【要約】【課題】  医師の判断を介することによりサプリメント以外に医薬品なども提供できるシステムを構成する。【解決手段】  購入希望者３が回答した問診事項たるサプリメント購入用健康データ８は健康管理センター１のサーバに入力され、健康管理センター１のサーバーはこのデータ８により直ちに所定のサプリメントを提供すべきか、医療機関２に連絡すべきか判定し、医療機関２に連絡必要なしと判定したときは購入希望者３に対応するサプリメントをサプリメント販社５を介して送付する。医療機関２に連絡必要ありと判定しかつ購入希望者３がその連絡を許諾した時は、データ８を医療機関２に送付し、医療機関２の医師がそのデータを評価し、医薬品の要否を決定し、この決定事項に対応して健康管理センター１は購入希望者３に対して指定された医薬品或いはサプリメントを送付する。【選択図】        図１
2005327067.tif 000002
【特許請求の範囲】
【請求項１】
サプリメント或いは医薬品等を提供する健康管理センターと、この健康管理センターとデータリンクしている医療機関と、健康管理センターが提供する問診事項に対する回答であるサプリメント購入用健康データを当該健康管理センターに出力して自己に合ったサプリメントの購入を希望する購入希望者との間に構成される商品の提供システムであって、
健康管理センターのサーバーには、前記サプリメント購入用健康データに対応して特定のサプリメントを選定する手段と、
当該サプリメント購入用健康データにおける購入希望者の評価許諾のデータの存在を条件として、当該サプリメント購入用健康データを医療機関に対して送信すべきか否かを評価する手段と、
所定のサプリメント或いは医療機関の指示による医薬品を購入希望者に対して選定送付する手段とが設けられていることを特徴とするサプリメント等の提供システム。
【請求項２】
医療機関のサーバーには健康管理センターから出力された購入希望者のサプリメント購入用健康データを入力する手段と、このサプリメント購入用健康データを医師が評価したデータを保存する手段と、この評価データに基づいて購入希望者に必要な特定のサプリメント或いは医薬品のデータを健康管理センターに出力する手段とを設けたことを特徴とする請求項１記載のサプリメント等の提供システム。
【請求項３】
医療機関のサーバーには医師による来院者或いは入院者の診断データを保存する手段と、この診断データに基づいて当該来院者或いは入院者に必要な特定のサプリメント或いは医薬品のデータを健康管理センターに出力する手段とを設けたことを特徴とする請求項１又は２記載のサプリメント等の提供システム。
【請求項４】
所定のサプリメント或いは医薬品を購入希望者に対して選定送付する手段は健康管理センターとは別設の医薬品販売会社或いはサプリメント販売会社であり、健康管理センターはこれらの医薬品販売会社或いはサプリメント販売会社に対して購入希望者に所定のサプリメント或いは医薬品を送付するためのデータを出力するよう構成したことを特徴とする請求項１乃至３の何れかに記載のサプリメント等の提供システム。
【請求項５】
健康管理センターの判断手段が医療機関に当該サプリメント購入用健康データを送信すべきと判断したデータと、かつ購入希望者が医療機関に対する当該サプリメント購入用健康データの送信を許諾したデータとがあるとき、健康管理センターは購入希望者に対して複数の医療機関を提示し、購入希望者が医療機関の選択を可能とするよう構成したことを特徴とする請求項１乃至４の何れかに記載のサプリメント等の提供システム。
【請求項６】
前記提供商品としてのサプリメント及び医薬品の他に化粧品を加え、かつ医療機関の医師の指示により化粧品の購入希望者に対する化粧品或いはサプリメントを特定することを特徴とする請求項１乃至５の何れかに記載のサプリメント等の提供システム。
【発明の詳細な説明】
【技術分野】
【０００１】
本発明はサプリメント等の購入を希望する者が提出するデータに対応して適切なサプリメントを提供し、かつ医療機関の指示によりサプリメント或いは医薬品等を提供するシステムに関する。
【背景技術】
【０００２】
所謂健康ブームと称される傾向が最近我が国でも顕著である。
現代人はとかく忙しさにかまけて、自己の健康管理が甘くなりがちであり、その点は当の本人も気づいていることが多い。このような場合、健康維持のために自分に合ったサプリメントを探して摂取しようと考えることは自然である。
【０００３】
我が国においてはサプリメントに関する情報は十分とは言えず、サプリメント購入希望者は僅かな情報を頼りに自己に合ったサプリメントを手さぐりで決めているのが実情である。これは、サプリメントに関する情報提供が単に不十分と言うだけではなく、薬事法等の国内法がサプリメントの薬効を表示することを禁止していることも大きく影響していると思われる。
【０００４】
現在、インターネット等の情報ネットワークを介して各種サプリメントを容易に購入することが可能ではあるが、前述の理由により購入するサプリメントがはたして自己にあったものであるかどうかは購入者にとって依然不明であり、結局は取り合えず購入して使用してみようと言う程度の判断しかなしえない。
【０００５】
以上の観点から、サプリメント購入希望者（以下実施例も含めて単に「購入希望者」とする）に対して例えば就寝時刻、睡眠時間、飲食物の内容、摂取量等々の生活習慣や、性別、年齢、身長、体重、血圧等、更に場合によっては既往症等、購入希望者自身の個人的情報を例えばインターネットのウエッブ上に入力することにより、この情報に基づいて所定のサプリメントを提供するシステムが提供されている。
【０００６】
上記方法は購入希望者に対する問診によりサプリメントの種類等を決めるものであり、全く情報が無い場合に比較して購入希望者に合ったサプリメントの入手が期待できる。    しかしながら、このような問診事項に対する回答の如何によっては、サプリメントの摂取等では対応しきれない場合も発生する。即ち回答内容によってはサプリメントの摂取以前に然るべき医療機関で診療を受けることが必要な場合も発生する。
【０００７】
現時点でのサプリメント提供システムにおいては何れもこのような事態に対応することができず、極端な場合には医療機関において診療を受ければ発見、治療が可能な病気を見落とす可能性もある。
【特許文献１】特開２００２−１０９０６６
【特許文献２】特開２００２−０９９６２５
【特許文献３】特開２００２−２５１５３２
【発明の開示】
【発明が解決しようとする課題】
【０００８】
適切なサプリメントを購入するために実施する問診事項の回答内容如何によっては、購入希望者の健康状態が、医療機関で診療を受けることを優先すべき状態である場合がある。現時点ではこのような状態に対しては全く対応できていない。
【課題を解決するための手段】
【０００９】
本発明は上記の課題を解決すべく構成されている。
即ち、本発明はサプリメント（場合によっては薬品も）を提供する健康管理センターと、実際に医療を行う医療機関と、サプリメント購入希望者との間にインターネット等の情報ネットワークにより形成されたサプリメント等の提供システムであって、健康管理センターのサーバーと医療機関のサーバーとは情報ネットワークにより接続し、健康管理センターのサーバーには購入希望者が出力した購入希望者の問診事項から、サプリメントの提供を行うか医療機関に連絡すべきか否かを評価する手段と、サプリメントの提供を行う場合には購入希望者に適したサプリメントを決定する手段と、医療機関のサーバーから出力された発注データを受信する手段とを有し、医療機関のサーバーには健康管理センターから出力された各購入希望者の問診事項を医師が評価した購入希望者評価データと、医療機関の来院者や入院者を医師が診察した診断データとを有し、医療機関のサーバーから出力された各個人のデータに対応して、健康管理センターのサーバーはサプリメントの購入希望者、医療機関に対する来院者、入院者に対して所定のサプリメント及び又は医薬品等を提供する指令をサプリメント会社或いは医薬品会社等に出力するよう構成したことを特徴とするサプリメント等の提供システムである。
【００１０】
なお、サプリメントは栄養素を補うための補助食品を指し示す言葉として一応理解されているが、必ずしもこのような補助食品のみをさすものではなく、かなり多義的に使用されている。従ってここで言う「サプリメント」の語は以下のような多義的な語として使用する。
【００１１】
サプリメントは、不足している栄養素やビタミン類を食事とはを異なる形態で補うものであるため、通常は錠剤やカプセル等、手軽に飲めるような形態となっている事が多い。しかし最近ではこのように単純に不足分を補うというためだけでなく、プロポリス、アガリスク、ＳＯＤ様食品（活性酸素の分解酵素を有するとされる食品）等の自然食品もまた栄養補助食品として扱われることが多くなっている。更に、各種ハーブ類等についてもその健康補助効果がいろいろと認められている。以上の観点から、本発明において「サプリメント」の語は、体内に摂取することによって人にとって不足しているものを補うもの全てという最広義の意味で使用する。
【発明の効果】
【００１２】
サプリメントの購入を希望する者が記載した問診事項の回答に基づいて、医療機関での受診の要否まで判断するため、単なるサプリメントの購入のみでなく、医療機関の医師の指示による医薬品或いはサプリメントの購入、或いは医療機関に於ける診療等、医薬品の購入も含めてサプリメント購入希望者の健康状態に合った対応が可能となる。
【００１３】
医師の判断を介することにより従来のサプリメント購入システムでは実現不可能であった医薬品の購入も可能となる。
【発明を実施するための最良の形態】
【００１４】
健康管理センターと医療機関とをインターネット等の情報ネットワークで接続して健康管理センターに出力された購入希望者のデータを医療機関で評価してもらうことにより、購入希望者に対しては、サプリメントの販売のみならず、医療機関に於ける受診の勧め、或いは診療結果に対応して医療機関から出力されるデータに基づいてサプリメント或いは医薬品を当該購入希望者或いは医療機関に対する来院者に提供販売する。
【実施例１】
【００１５】
本発明は図１に示すように健康管理センター１と、この健康管理センター１とインターネット４等の情報ネットワークを介してデータリンクしている医療機関２と、健康管理センター１に対してサプリメントの購入を希望する購入希望者３とにより構成され、かつ健康管理センター１には当該健康管理センター１からの指令により所定の対象者にサプリメント或いは医薬品を送付するサプリメント販売会社５、医薬品販売会社６等が健康管理センター１の商品提供部門として配置されている。
【００１６】
以上の構成において、本システムの基本的な機能は、購入希望者３がサプリメントを購入する場合、健康管理センター１が例えばインターネットの自己のホームページに開設された問診事項に対して購入希望者がその回答を入力し、この入力されたデータを健康管理センター１のサーバーが解析し、かつ解析結果によってはサプリメントの提供ではなく医療機関の紹介を行う。
【００１７】
サプリメントの提供を行う時は、購入希望者に対して所定のサプリメントを提案し、購入希望者が了承すればサプリメント販売会社等の商品提供部門から購入希望者３に対して所定のサプリメントを送付する。また、前記サーバーの解析結果によって、サプリメントの提供よりも先ず所定の医療機関で受診することが望ましいとする結果となった場合には、健康管理センター１とデータリンクしている医療機関２を紹介し、購入希望者３が所定の医療機関２で受診した場合には当該医療機関２のサーバーに入力された診療データに基づいて健康管理センター１に当該受診者が必要とする医薬品及び又はサプリメントの種類や量のデータを出力し、健康管理センター１はこのデータに基づいて所定のサプリメント或いは医薬品を当該受診者に提供する点にある。
【００１８】
次に図２を用いて健康管理センター１のサーバーの構成について説明する。
先ず購入希望者３はインターネット４を介して健康管理センター１の開設するホームページにアクセスし、このホームページに開設されているサプリメント購入用のデータ問診事項を記載したファイル（以下このファイルを「サプリメント購入用データシート」とする）８ａを開ける。なお、この場合、データシート８ａに記入する事項の種類によっては購入希望者３のプライバシーに係わるものも含まれる可能性があるので、健康管理センター１は各購入希望者３に対してそれぞれ専用のＩＤを付与しておくことが望ましい。但しサプリメント購入用データシート８ａは紙のチェックシートとすることももとより可能である。
サプリメント購入用データシート８ａには問診事項として例えば下記の事項が表示される。
【００１９】
〔基本的事項〕
１．住所、２．氏名、３．年齢、４．性別、５．身長、６．体重・・・・
【００２０】
〔生活習慣〕
Ａ．食習慣
１．食事時間（食事を決まった時間に摂っているか）
２．甘いものの嗜好
３．インスタント食品摂取の有無、その量、内容等
４．・・・・・・・
Ｂ．嗜好品
１．飲酒の有無、その量、飲酒頻度等
２．喫煙の有無、その量等
３．・・・・・・・
Ｃ．体力
１．疲れやすいか。
２．風邪をひきやすいか。
３．息切れしやすいか。
４．・・・・
Ｄ．ストレス等
１．イライラすることが多いか
２．寝付きが悪いか。
３．・・・・・・・
Ｅ．仕事の内容等
１．座った作業が多いか。
２．パソコン等目を使う作業が多いか。
３．長時間車を運転することが多いか。
４．集中力が欠けることが多いか。
５．・・・・・・・
【００２１】
〔個人的身体情報等〕
１．血圧（最高血圧／最低血圧）
２．既往症（病名／入院の有無等）
３．頭痛等身体的な愁訴の有無
４．・・・・・・・
【００２２】
以上に示した項目はサプリメント購入用データシート８ａに表示される問診項目の一例である。このうち特に「個人的身体情報」は購入希望者３のプライバシーに係わることであるため、記入した内容が外部に漏出しないようセキュリティーを設定しておく必要がある。
【００２３】
購入希望者３のパソコンに表示されたサプリメント購入用データシート８に所定の事項を記入したならば購入希望者３はこのサプリメント購入用健康データ８（図１参照）を健康管理センター１に送信する。
【００２４】
この場合、後述するように健康データ８を医療機関２に送付するシステムを実施する場合には前記サプリメント購入用データ８を送信する際に購入希望者３は、当該データ８の医療機関２に対する転送を認めるか否かを予め意思表示する。因みに、医療機関２に対するデータ転送を積極的に認めない場合の他、この意思表示が無い場合は全て医療機関２に対するデータの転送は行わない。
【００２５】
送信された前記サプリメント購入用健康データ８は健康管理センター１のサーバー７のＩ／Ｏポート９を経て、サプリメント購入用データベース１０に対して購入希望者３のＩＤに対応してそれぞれ格納される。
【００２６】
１１はサーバー７の中心的機能を果たす中央処理部であり、後述するように購入希望者３に医療機関を紹介するか否かの判断、サプリメントの種類の決定等を行う機能等を有している。１２は各購入希望者３のデータを評価するためのデータを蓄積している評価資料データベースであって、後述するように中央処理部１１において特に医療機関の紹介をすべきか否かの評価を行う際に必要なデータが格納されている。このデータベース１２は医療の専門家である医師の判断に基づいて予め構築されており、さらにこのデータベースのデータのみでは判断できない場合には、健康管理センターが契約している医師と直接に、あるいはデータの送受信により間接的に指示を仰いで評価する。従って図示のデータベース１２は予め設定構築してあるデータのみでなく、このように適宜医師の指示を受けたデータも含めたデータ全体を示すものである。
【００２７】
１３は、中央処理部１１における評価において、購入希望者３に医療機関を紹介する必要が無い場合に、当該購入希望者３に対して特定のサプリメントを選択するためのデータベースである。１４は中央処理部１１から発せられた指令信号により、特定されたサプリメントの内容から、例えばサプリメントのメーカー、商品名、商品形態（顆粒か粉末か／包装量／金額等）個々のサプリメントを特定するためのデータを収納したデータベースであり、上述の方法により決定された具体的なサプリメントを提案内容１５としてデータ化し、このデータを前記Ｉ／Ｏポート９を介して購入希望者３のパソコンに出力する。
【００２８】
符号１７は各購入希望者３及び、後述する医療機関から出力された来院者や入院者個々人のＩＤを格納する個人ＩＤデータベース、１８医薬品販売会社６に対して所定の薬品を発注する信号を発する医薬品発注手段である。
【００２９】
次に主として図３を用いて健康管理センター１の処理手順を説明する。この場合必要に応じて医療機関２の構成（特に医療機関２のサーバーの構成）について順次説明する。
【００３０】
購入希望者３は自己のパソコンを用いて、或いは紙のシートを用いてサプリメント購入用データシートに表示された所定事項に記入を行い（ＳＡ１）、このサプリメント購入用健康データ８を健康管理センター１に出力する。この際自己のサプリメント購入用健康データ８を医療機関２に転送してよいか否かも意思表示する（ＳＡ2 ）。
【００３１】
これに対応して健康管理センター１の中央処理部１１は出力されたサプリメント購入用健康データ８から、先ず当該サプリメント購入用健康データ８を医療機関２に転送してよいか否かの意思確認を行う。前述のように医療機関２に対する転送が可能なのは転送を積極点に容認している場合のみであり、転送を認めない場合の他、要否を積極的に示していない場合も含め、データの転送は行わず、この場合には後述するステップＳＡ３のＹｅｓの場合と同様サプリメントの提案を行う。
【００３２】
次にサプリメント購入用健康データ８を医療機関２に転送を許諾する旨のデータが記載されている場合には、サプリメント服用以前に、医療機関による受診が必要無いか否かを評価資料データベース１２に格納されたデータを用いて評価する（ＳＡ３）。例えば出力されたデータのうち血圧が年齢、性別等に基づく規準値から大幅に変位している場合、データベース１４において、年齢、性別に対応した敷居値を予め設定しておき、例えば３０代男性であって最高血圧が１８０ｍｍＨｇ以上であったり、逆に４０代女性であって最高血圧が９０ｍｍＨｇ以下である等敷居値を越えた値となったときに、医療機関に連絡の必要ありと評価する。この評価規準は全て医師により作成されており、このデータのみでは不足の場合には前述のように医師に対して直接或いは間接に指示を仰ぐようにしてもよい。この場合の医師は医療機関２の医師ではなく健康管理センター１がこれらの判断のために契約している医師である。
【００３３】
ステップＳＡ３において医療機関に連絡必要なしと評価したときはサプリメントの種類を決定し、かつ提案すべきサプリメントを表示した提案内容１５を作成し購入希望者３のパソコン等の端末に提案内容を表示する（ＳＡ４）。次に提案されたサプリメントの内容を購入希望者３が認めるか否かを確認し（ＳＡ５）、購入希望者３が提案されているサプリメントを購入希望であればサプリメント販売会社５に所定のサプリメントに関するデータを出力し（ＳＡ６）、サプリメント販売会社５は購入希望者３に所定をサプリメントを送付する（ＳＡ７）。
【００３４】
一方ステップＳＡ３において、医療機関に連絡の必要ありと評価したときは、先ず購入希望者３に対して、前記サプリメント購入用健康データの内容から、サプリメントの服用よりも先に受診の必要ありと評価したこと、及び所定の医療機関を紹介してもよいか否かを購入希望者３にデータ出力する（ＳＡ８）。
【００３５】
健康管理センター１は通常１以上の医療機関２と契約を結びデータリンクしている。このためステップＳＡ８において、購入希望者３が医療機関２への連絡を承認した場合には、健康管理センター１は、複数の医療機関２を提示し、後に医療機関２から受診の必要性を連絡された場合の通院の利便性等を考慮して購入希望者３が特定の医療機関２を選択できるようにしておくことが望ましい。
【００３６】
購入希望者３の承諾があったならば、購入希望者３の指定した医療機関２に対して、当該購入希望者３のサプリメント購入用健康データをこの指定された医療機関２のサーバー２１に出力する（ＳＡ９／図４も併せて参照）。
【００３７】
健康管理センター１のサーバー７から出力されたデータは図４に示す医療機関２のサーバー２１のＩ／Ｏポート２２を経て外部入力データ２３として処理され、医療機関２の医師２４はこの外部入力データ２３を評価（ＳＡ１０／図４の符号２５）して、その評価結果を購入希望者データ２６としてサーバー２１に入力する。評価内容としては、当該購入希望者評価３のデータに対応して、診療の必要がある否か（来院要請の要否）、診療の必要はないが医薬品を処方した方がよい場合にはその医薬品のデータ、さらにサプリメントのみでよい場合にはサプリメントの種類等をデータ入力して購入希望者評価データ２６を構成する（ＳＡ１１）。
【００３８】
各購入希望者３のデータはその１Ｄと共にサーバー２１のデータベース２７に格納されると共に、Ｉ／Ｏポート２２を介して、医師２４が選定した医薬品、サプリメント等のデータを健康管理センター１のサーバー７に出力する（ＳＡ１２）。健康管理センター１は医療機関２から出力されたデータに対応した医薬品、サプリメント等を選択し、医薬品発注手段１８、サプリメント発注手段１６により所定の医薬品やサプリメントを発注し（ＳＡ１３）、医薬品販売会社６、サプリメント販売会社５はこの発注された医薬品やサプリメントを所定の購入希望者３に送付し（ＳＡ１４）、かつ料金を回収する。
【００３９】
次に図５は医療機関２に対して直接来院した来院者２８（前記来院を希望した購入希望者３を含む）を対象とした手順を示す。以下その手順を図４の記載と併せて説明する。
【００４０】
来院者２８及び入院者２９については医師２４が直接診断（ＳＢ１／図４の符号３０）を行う。その診断結果により個々の受診者に対して処方される医薬品やサプリメントの種類がその受診者の個人ＩＤと共に、サーバー２１の診断データ３１として構成され（ＳＢ２）、この診断データ３１は前記データベース２７に格納されると共に、Ｉ／Ｏポート２２を介して健康管理センター１のサーバー７に出力される（ＳＢ3 ）。
【００４１】
医療機関２から出力されたデータはＩ／Ｏポート９を介して中央処理部１１に入力され、中央処理部１１はこのデータに対応して医薬品発注手段１８或いはサプリメント発注手段１６を介して所定の医薬品或いはサプリメントを指定するデータをそれぞれの販売会社５、６に出力し（ＳＢ４）、各販売会社はそのデータに対応する医薬品或いはサプリメントを所定の購入者に送付し（ＳＢ５）、その代金を回収する（ＳＢ６）。また健康管理センター１と医薬品販売会社６或いはサプリメント販売会社５との間の契約事項によっては各医薬品販売会社６或いはサプリメント販売会社５は予めその契約事項に沿った金員をリベートとして健康管理センター１に入金する等の決裁を行う（ＳＢ７）。
【産業上の利用可能性】
【００４２】
以上、本システムをサプリメント或いは医薬品を提供する場合を例に説明したが、医師を皮膚科の医師とし、かつ提供する商品を化粧品とすれば、ユーザーは医師によって適切に選択された化粧品を購入することが可能となり、所謂ドクターズコスメチックを容易に入手することを可能とするシステムとしても利用可能である。
【図面の簡単な説明】
【００４３】
【図１】本発明に係るシステムの全体構成を示すシステム構成図である。
【図２】健康管理センターのサーバーの機能を中心として示した健康管理センターのシステム構成図である。
【図３】健康管理センターにおける購サプリメント購入用健康データの解析に基づく場合のシステムの作動状態を示すフロー図である。
【図４】医療機関のサーバーの機能を中心とした医療機関のシステム構成図である。
【図５】医療機関の指示による場合のシステムの作動状態を示すフロー図である。
【符号の説明】
【００４４】
１  健康管理センター
２  医療機関
３  購入希望者
５  サプリメント販売会社
６  医薬品販売会社
７（健康管理センターの）サーバー
８  サプリメント購入用健康データ
８ａ  サプリメント購入用データシート
１１  中央処理部
２１（医療機関の）サーバー
２４  医師
２６  購入希望者評価データ
３１  診断データ
【図１】
2005327067.tif 000003
【図２】
2005327067.tif 000004
【図３】
2005327067.tif 000005
【図４】
2005327067.tif 000006
【図５】
2005327067.tif 000007